(57)【要約】【課題】  操作性に優れた絞り調節手段を有する顕微鏡システムを提供する。【解決手段】  レボルバターレット５ａの操作により観察光路上に位置される対物レンズ６の倍率に応じて照明光学系の光路中に設けられる開口絞りの絞り径を調節するとともに、この絞り径を対物レンズ６の倍率の倍率に基づいた開閉量で調節可能とする。【選択図】      図１
2006030679.tif 000002
【特許請求の範囲】
【請求項１】
試料の観察倍率を変更可能にする変倍手段を有する観察光学系と、
前記試料に照明光を照射する照明光路に配置された絞り手段と、
前記絞り手段の絞り径を前記変倍手段の倍率に応じて調節する絞り調整手段と、
前記変倍手段の倍率に応じた前記絞り手段の絞り径を前記記変倍手段の倍率に基づいた開閉量で調節可能とする制御手段と
を具備したことを特徴とする顕微鏡システム。
【請求項２】
前記制御手段は、前記変倍手段の倍率に応じた前記絞り手段の絞り径に対し一定の割合の開閉量が求められ、該開閉量により前記絞り手段を調整することを特徴とする請求項１記載の顕微鏡システム。
【請求項３】
前記制御手段は、前記変倍手段の倍率毎に前記絞り手段の開閉量を設定可能としたことを特徴とする請求項１記載の顕微鏡システム。
【請求項４】
前記制御手段は、前記変倍手段の倍率毎に少なくとも２種類の開閉量を設定可能としたことを特徴とする請求項１記載の顕微鏡システム。
【請求項５】
前記変倍手段は、倍率の異なる複数の対物レンズを保持したレボルバターレットからなることを特徴とする請求項１乃至４のいずれかに記載の顕微鏡システム。
【請求項６】
前記絞り手段は、開口絞りまたは視野絞りであることを特徴とする請求項１乃至４のいずれかに記載の顕微鏡システム。
【発明の詳細な説明】
【技術分野】
【０００１】
本発明は、絞り調節手段を有する顕微鏡システムに関するものである。
【背景技術】
【０００２】
顕微鏡の照明光路には、最適なコントラストと分解能で像観察を可能とするため開口絞りと視野絞りが設けられている。ここで、開口絞りは、照明系の開口数を調整するための絞りで、使用対物レンズの開口数と照明系の開口数を合わせるように調整され、また、視野絞りは、照明される範囲を調整するための絞りで、使用する対物レンズに応じて視野内に外接する程度に絞り込むように調整されるようになっている。
【０００３】
そして、従来、これら開口絞りと視野絞りを最適な状態に調節するため絞り調節手段を有する顕微鏡システムとして、例えば、特許文献１や特許文献２に開示されるものが提案されている。
【０００４】
ここで、特許文献１には、ズームレンズ系の倍率に応じて照明光学系の光路中に設けられた開口絞りの開口面積を制御するものが開示され、また、特許文献２には、観察法と対物レンズとの組み合わせに対応して視野絞りおよび開口絞りの絞り条件を設定することが開示されている。つまり、これら特許文献１および特許文献２のものは、ズームレンズ系（または、対物レンズ）の倍率が変わる毎に絞りの開口径が最適な状態に設定されるようになっている。
【特許文献１】特開平８−７１０８５号公報
【特許文献２】特開平８−２１１２９号公報
【発明の開示】
【発明が解決しようとする課題】
【０００５】
ところで、顕微鏡を使った試料観察にあっては、試料内容によって、一度設定された絞りの開口径を再調節することが、さらに最適なコントラストや分解能を得る上で必要なことがある。
【０００６】
しかしながら、このような要求があった場合、特許文献１および特許文献２のものを含めて一般的な絞り調節手段では、例えばズームレンズ系（または、対物レンズ）などの変倍手段の倍率に関係なく一定の開閉量で絞りの開口径を変更するようになる。このため、開口絞りの径に対して１度の操作に対応した開閉量の占める割合が変倍手段の倍率ごとに異なるようになり、操作感にバラツキを生じ、操作性が悪くなるという問題があった。
【０００７】
本発明は上記事情に鑑みてなされたもので、操作性に優れた絞り調節手段を有する顕微鏡システムを提供することを目的とする。
【課題を解決するための手段】
【０００８】
請求項１記載の発明は、試料の観察倍率を変更可能にする変倍手段を有する観察光学系と、前記試料に照明光を照射する照明光路に配置された絞り手段と、前記絞り手段の絞り径を前記変倍手段の倍率に応じて調節する絞り調整手段と、前記変倍手段の倍率に応じた前記絞り手段の絞り径を前記記変倍手段の倍率に基づいた開閉量で調節可能とする制御手段とを具備したことを特徴としている。
【０００９】
請求項２記載の発明は、請求項１記載の発明において、前記制御手段は、前記変倍手段の倍率に応じた前記絞り手段の絞り径に対し一定の割合の開閉量が求められ、該開閉量により前記絞り手段を調整することを特徴としている。
【００１０】
請求項３記載の発明は、請求項１記載の発明において、前記制御手段は、前記変倍手段の倍率毎に前記絞り手段の開閉量を設定可能としたことを特徴としている。
【００１１】
請求項４記載の発明は、請求項１記載の発明において、前記制御手段は、前記変倍手段の倍率毎に少なくとも２種類の開閉量を設定可能としたことを特徴としている。
【００１２】
請求項５記載の発明は、請求項１乃至４のいずれかに記載の発明において、前記変倍手段は、倍率の異なる複数の対物レンズを保持したレボルバターレットからなることを特徴としている。
【００１３】
請求項６記載の発明は、請求項１乃至４のいずれかに記載の発明において、前記絞り手段は、開口絞りまたは視野絞りであることを特徴としている。
【発明の効果】
【００１４】
本発明によれば、操作性に優れた絞り調節手段を有する顕微鏡システムを提供できる。
【発明を実施するための最良の形態】
【００１５】
以下、本発明の実施の形態を図面に従い説明する。
【００１６】
（第１の実施の形態）
図１は、本発明の第１の実施の形態が適用される正立顕微鏡の概略構成を示している。
【００１７】
図１において、１は顕微鏡本体で、この顕微鏡本体１は、ベース部１ａに直立して設けられた胴部１ｂの先端にベース部１ａに対して平行な対物アーム１ｃを有している。
【００１８】
顕微鏡本体１の胴部１ｂには、ステージ２が設けられている。このステージ２は、試料３を載置するもので、顕微鏡本体１の側面に配置された焦準ハンドル４の回転操作により胴部１ｂに沿って上下方向に移動可能になっている。
【００１９】
顕微鏡本体１の対物アーム１ｃ先端部には、ステージ２と対向させてレボルバ５が設けられている。このレボルバ５は、変倍手段として複数（図示例では３個）の対物レンズ６を保持するレボルバターレット５ａを有し、このレボルバターレット５ａを回転させることで、対物レンズ６のいずれかを観察光学系内で切換えられるようにしている。
【００２０】
また、対物アーム１ｃには、接眼レンズ７が設けられている。
【００２１】
顕微鏡本体１のベース部１ａには、試料３を透過照明するための光源８が設けられている。光源８からの照明光路には、絞り手段としての視野絞り（ＦＳ）９と開口絞り（ＡＳ）１０が配置されている。これら視野絞り（ＦＳ）９と開口絞り（ＡＳ）１０は、ベース部１ａ内部に配置され、光源８からの照明光をステージ２上の試料３に導くようになっている。
【００２２】
顕微鏡本体１のベース部１ａ側面には、電動部位を制御する機能を割り付けられる操作スイッチ１１ａ〜１１ｆが配置されている。また、顕微鏡本体１には、制御手段としての顕微鏡コントローラ１２が接続されている。この顕微鏡コントローラ１２は、各電動ユニットを制御する各種のコントローラが収納されている。
【００２３】
なお、図示例では、操作スイッチ１１ａ〜１１ｆが顕微鏡本体１に直接設けられているが、顕微鏡本体１と別に用意されていてもよい。つまり、これら操作スイッチ１１ａ〜１１ｆは、顕微鏡電動ユニットを制御できるものであればよく、取付け位置及び数については種々考えられる。また、これら操作スイッチ１１ａ〜１１ｆは、押下げして操作するものを基本としているが、押下げ型でなくとも電動ユニットを操作できるスイッチであれば形状などはは何であっても構わない。さらに、顕微鏡コントローラ１２についても、顕微鏡本体１に内蔵されていても構わない。
【００２４】
図２は、このように構成された正立顕微鏡の光学系の概略構成を示している。
【００２５】
この場合、光源８からの光の光路上には、上述した視野絞り９、開口絞り１０とともに、コレクタレンズ１３およびコンデンサレンズ１４が配置されている。コレクタレンズ１３は、光源８の像をコンデンサレンズ１４の前側焦点に結像させる。また、コレクタレンズ１３とコンデンサレンズ１４の間で、試料３面と共役な位置に、照明範囲９ａを調節する視野絞り９が配置され、コンデンサレンズ１４の前側焦点位置に、瞳像１０ａの解像度を調節する開口絞り１０が配置されている。この場合、開口絞り１０は、絞り調節手段としてのＡＳユニット１０１に内蔵されている。
【００２６】
コンデンサレンズ１４から出射される光路上には、試料３が配置され、コンデンサレンズ１４により平行光束に変換された光源８の像を試料３面に一様に照明するようにしている。また、試料３を透過した試料像の光路には、対物レンズ６が配置され、この対物レンズ６によって無限遠方に投影された試料像は、結像レンズ１５により集光され、光路を分割するプリズム１６を経て接眼レンズ７により拡大され、観察者により目視観察される。
【００２７】
図３は、このような正立顕微鏡に用いられる開口絞りを制御する制御系の概略構成を示している。
【００２８】
この場合、ＡＳユニット１０１は、開口絞り１０の開閉を駆動するパルスモータ１０１ａと開閉位置を検出するセンサ１０１ｂを有している。また、レボルバ５は、光路中のレボルバターレット５ａの現在位置（光路上に位置する対物レンズ６の種類）を検出するためのセンサ５０１を有している。
【００２９】
顕微鏡コントローラ１２は、スイッチコントローラ１２ａ、ＡＳコントローラ１２ｂ、レボルバコントローラ１２ｃ、演算部１２ｄおよび記憶部１２ｅを有している。スイッチコントローラ１２ａには、操作スイッチ１１ａ〜１１ｆが接続されている。また、ＡＳコントローラ１２ｂには、ＡＳユニット１０１のパルスモータ１０１ａとセンサ１０１ｂが接続されている。この場合、ＡＳコントローラ１２ｂは、開口絞り１０の絞り径を、レボルバターレット５ａの現在位置、つまり対物レンズ６の倍率に応じて調節する絞り調整手段としての機能も有している。さらに、レボルバコントローラ１２ｃには、レボルバターレット５ａのセンサ５０１が接続されている。
【００３０】
ここで、操作スイッチ１１ａ〜１１ｆには、予め電動絞り調節の各種の操作が割り当てられている。例えば、操作スイッチ１１ａに「開口絞りを開く」、操作スイッチ１１ｂに「開口絞りを閉じる」の操作が割り当てられたとすると、操作スイッチ１１ａの押下げ操作により、スイッチコントローラ１２ａより操作スイッチ１１ａの操作が演算部１２ｄに通知される。演算部１２ｄにより操作スイッチ１１ａによる操作が認識されると、一定数のパルスがＡＳコントローラ１２ｂへ送られ、同時に、記憶部１２ｅに記憶されている現在の開口絞り１０の開閉位置が書き換えられる。ＡＳコントローラ１２ｂは、演算部１２ｄより受け取ったパルス信号をＡＳユニット１０１のパルスモータ１０１ａへ送信する。パルスモータ１０１ａは、送られてきたパルス信号に従い、このときのパルス数だけ開口絞り１０の開閉位置を移動し、開口絞り１０を開放動作させる。一方、操作スイッチ１１ｂを押し操作して、開口絞り１０を閉じ動作するときも、上述と同様で、開口絞り１０を閉じ動作することができる。
【００３１】
なお、ＡＳユニット１０１は、起動時にセンサ１０１ｂの検出出力用いて開口絞り１０の原点出しを行なっている。また、センサ１０１ｂの検出出力に基づいた現在の開口絞り１０の開閉位置は、演算部１２ｄにより逐一記憶部１２ｅに記憶される。また、演算部１２ｄより出力される一定のパルス数は、予め記憶部１２ｅに記録されている。
【００３２】
レボルバ５は、レボルバターレット５ａを手動により回転操作可能となっている。この操作は、センサ５０１で検出され、レボルバコントローラ１２ｃを介して演算部１２ｄに対し光路上のレボルバターレット５ａの位置が変更されたことと、現在位置（光路上に位置する対物レンズ６の種類）を通知する。演算部１２ｄは、レボルバコントローラ１２ｃの回転操作の度に記憶部１２ｅに記憶されているレボルバターレット５ａの現在位置を書き変える。また、レボルバ５は、起動時に、センサ５０１を用いて、レボルバターレット５ａの初期位置を記憶部１２ｅに記憶させている。
【００３３】
ところで、開口絞り１０は、開口絞り径（瞳径）をＤAS[ｍｍ]として、対物レンズ６の開口数をＮＡ、対物レンズ６の倍率をＭO、対物レンズ６の焦点距離をｆObとすると、
ＤAS＝（２×ＮＡ×ｆOb）／ＭO      …（１）
で求めることができる。
【００３４】
ここで、例えば、対物レンズ６として、（ａ）倍率：１０倍、ＮＡ：０．４のものと、（ｂ）倍率：１００倍、ＮＡ：１．４のものを比較すると、（ａ）の開口絞り径ＤASはφ１４．４［ｍｍ］であるのに対し、（ｂ）の開口絞り径ＤASはφ５．０４［ｍｍ］となり、大きく異なる。つまり、開口絞り径ＤASは、対物レンズ６の倍率によって大きく異なる。
【００３５】
この場合、実際に開口絞り１０の開度調節する際に、開口絞り径に関係なく、一定のパルス数で開口絞り１０を開閉調節すると、つまり、操作スイッチ１１ａを一押下げする毎に一定のパルス数で開口絞り１０を開閉すると、操作スイッチ１１ａの一押下げ操作に応じた開閉量の開口絞り１０の径に対し占める割合が対物レンズ６の倍率によって異なることとなり、操作スイッチ１１ａの操作感にバラツキを生じる。
【００３６】
そこで、開口絞り１０を開閉を調節するときに、操作スイッチ１１ａの一押下げによる開口絞り１０の開閉量が開口絞り径に対し常に一定の割合になるようにする。この場合、操作スイッチ１１ａの一押下げ操作による開口絞り径に対する開口絞り１０の開閉量の割合は予め不図示のファイル等に記述しておき、これを演算部１２ｄで読み出し、記憶部１２ｅに保持させるようにしてもよいし、例えば、図３と同一部分には、同符号を付した図４に示すように、顕微鏡コントローラ１２に表示部１８および入力部１９を接続し、このうち表示部１８に表示される、例えば図５に示すような開閉量設定画面１８ａ上の開閉量設定部１８０に、入力部１９から直接開閉量（割合）に相当する数値を入力するようにしてもよい。また、記憶部１２ｅには、開口絞り１０の実際の開閉量を算出するのに必要なデータ（対物レンズ６の倍率など）を保持しておく必要がある。これらデータを保持する際の値の入力方法等については、何れの方法でもよい。
【００３７】
次に、このように構成された実施の形態の作用を説明する。
【００３８】
いま、光源８より照明光が発生すると、コレクタレンズ１３より視野絞り９、開口絞り１０を介してコンデンサレンズ１４に入射される。この場合、光源８の像は、コレクタレンズ１３によってコンデンサレンズ１４の前側焦点に結像される。
【００３９】
コンデンサレンズ１４を透過した光源８の像は平行光束となり、試料３を一様に照明する。そして、試料３を透過した検出光は、対物レンズ６によって無限遠方に投影され、結像レンズ１５により集光され、プリズム１６を経て接眼レンズ７により拡大され、観察者により目視観察される。
【００４０】
次に、操作スイッチ１１ａを一押下操作する毎に、一定の割合で開口絞り１０を開閉する場合を図６にしたがい説明する。
【００４１】
この場合、操作スイッチ１１ａを押下げ操作すると（ステップ６０１）、操作スイッチ１１ａが押下げ操作されたことがスイッチコントローラ１２ａから演算部１２ｄに通知される（ステップ６０２）。演算部１２ｄは、ステップ６０３で、現在光路上にあるレボルバターレット５ａの位置を記憶部１２ｅから取得する（このレボルバターレット５ａの位置情報は、前もってセンサ５０１により記憶部１２ｅに記憶されている）。また、演算部１２ｄは、ステップ６０３で取得したレボルバターレット５ａの位置に対応する対物レンズ６のデータ（ＮＡ、倍率など）を記憶部１２ｅから取得し（ステップ６０４）、これらデータを用いて上式から開口絞り１０の開口絞り径ＤASを算出する（ステップ６０５）。
【００４２】
また、演算部１２ｄは、算出した開口絞り径ＤASと、予め与えられた開口絞り１０の開閉量の割合に基づいて、実際の開口絞り１０の動作量（開閉量）を算出する（ステップ６０６）。そして、この算出した動作量とパルスモータ１０１ａの１パルスの動作量を用いてパルス数を算出する（ステップ６０７）。
【００４３】
このパルス数は、演算部１２ｄからＡＳユニット１０１のパルスモータ１０１ａに通知される（ステップ６０８）。パルスモータ１０１ａは、演算部１２ｄから通知されたパルス数に応じて動作し、開口絞り１０を開閉動作する（ステップ６０９）。
【００４４】
従って、このようにすれば、例えば、操作スイッチ１１ａが一押下げされる毎に、開口絞り１０を２０（％）ずつ開くように開閉量が設定されたとすると、対物レンズ６の倍率が１００倍または４０倍の場合であっても、操作スイッチ１１ａを操作する毎に開口絞り１０が２０（％）ずつ開閉するように制御される。これにより、対物レンズ６の倍率に関係なく操作スイッチ１１ａの一押下げ操作により開口絞り径に対し一定の割合で開口絞り１０を開閉できるようになり、操作スイッチ１１ａの操作感のバラツキがなくなり、優れた操作性を実現することができる。
【００４５】
ここで、上述したステップ６０５では、数式を用いて開口絞り１０の開口絞り径を算出しているが、予め操作スイッチ１１ａの一押下げ分のパルス数まで算出しておき、これを記憶部１２ｅに保持させるようにしてもよい。
【００４６】
なお、上述した実施の形態では、正立顕微鏡の透過照明時の開口絞りについて説明したが、正立顕微鏡の落射照明、倒立顕微鏡の透過照明、落射照明時についても同様にして実施できる。また、絞り調節手段の調整対象として開口絞り１０について述べたが、正立顕微鏡（倒立顕微鏡）の透過照明時の視野絞り９についても同様に適用できる。さらに、レボルバ５については、センサ５０１により現在位置を検出するようにしているが、他の手段として、例えば、表示手段等を用意してボルバ５の現在位置を表示させ、この表示内容から手動により現在位置を入力するようにしてもよく、この場合は、センサ５０１を省略することができる。また、上述した実施の形態ではレボルバターレット５ａに複数の対物レンズ６を保持する例を述べたが、ズームレンズを用いたの場合についても、本実施の形態を適用できる。
【００４７】
（第２の実施の形態）
次に、本発明の第２の実施の形態を説明する。
【００４８】
この場合、第２の実施の形態に適用される正立顕微鏡、この正立顕微鏡の光学系および制御系にかかる概略構成は、上述した図１、図２および図４と同様なので、これら図面を援用するものとする。
【００４９】
第１の実施の形態では、倍率の異なる対物レンズ６を使用した場合でも、開口絞り１０の開閉量が開口絞り径に対し一定の割合になるようにしたが、この第２の実施の形態では、さらに操作性を上げるため、レボルバターレット５ａの位置（対物レンズ６）毎に開口絞り１０の開閉量を設定できるようにしている。
【００５０】
この場合、表示部１８には、例えば図７に示すような開閉量設定画面１８ｂが表示される。この開閉量設定画面１８ｂには、レボルバターレット５ａに保持される複数の対物レンズ６（図示例では、＃１〜＃６の６個）に対して開閉量設定部１８１〜１８６が用意されている。ユーザは、これら開閉量設定部１８１〜１８６を用いて、ば操作スイッチ１１ａが一押下げ操作されたときの開口絞り１０の開閉量（割合）を入力する。
【００５１】
また、演算部１２ｄは、レボルバターレット５ａの各位置に対応する対物レンズ６について算出された開口絞り径と上述の入力された割合を用いて、実際に動作させる開閉絞り１０の動作量を算出し、記憶部１２ｅに保持するようにしている。
【００５２】
なお、開閉量設定画面１８ｂとして、簡単な画面を用意したが、例えば、開閉量の設定の目安になるようにレボルバターレット５ａの位置毎に開口絞り１０の径を表示してもよい。また、設定画面でなくともファイル等に予め開閉量をレボルバターレット位置毎に保持するようにしてもよく、実際に動作させるときに設定値を取得できるのであれば、必ずしも画面から設定する必要はない。
【００５３】
次に、実際に開口絞り１０を開閉する場合を図８にしたがい説明する。
【００５４】
この場合、開口絞り１０を調節する操作スイッチ１１ａを押下げ操作すると（ステップ８０１）、操作スイッチ１１ａが押下げ操作されたことがスイッチコントローラ１２ａから演算部１２ｄに通知される（ステップ８０２）。演算部１２ｄは、現在光路上にあるレボルバターレット５ａの位置を取得し（ステップ８０３）、このレボルバターレット５ａの位置に対応する動作量（開閉量）を記憶部１２ｅから取得する（ステップ８０４）。そして、この取得した動作量とパルスモータ１０１ａの１パルスの動作量を用いてパルス数を算出する（ステップ８０５）。このパルス数は、演算部１２ｄからＡＳユニット１０１のパルスモータ１０１ａに通知される（ステップ８０６）。パルスモータ１０１ａは、演算部１２ｄから通知されたパルス数に応じて動作し、開口絞り１０を開閉動作する（ステップ８０７）。
【００５５】
従って、このようにすれば、レボルバターレット５ａの位置（対物レンズ６）毎に設定された開口絞り１０の開閉量に応じて開口絞り１０を開閉動作するようにできる。
【００５６】
なお、上述した実施の形態では、開閉量として絞り径の割合を用いているが、パルス数など開口絞り１０を開閉する値であれば、開閉量は絞り径の割合でなくても構わない。また、演算部１２ｄにて予め算出する値として操作スイッチ１１ａの一押下げに対する動作量ではなくパルス数でも良く、あるいは開閉絞り１０を開閉処理する度に記憶部１２ｅに保持された開閉量から開口絞り１０に適した動作量を算出しても構わない。
【００５７】
さらに、上述した実施の形態では、正立顕微鏡の透過照明時の開口絞りについて説明したが、正立顕微鏡の落射照明、倒立顕微鏡の透過照明、落射照明時についても同様にして実施できる。また、絞り調節機構として、開口絞り１０について述べたが、正立顕微鏡および倒立顕微鏡の透過照明時の視野絞りについても、開口絞りと同様に投影倍率が異なるため同様に適用できる。さらに、レボルバ５については、センサ５０１により現在位置が取得できたが、何らかの手段により、例えば、表示部等を用意して、現在位置を入力する等、手動で現在位置を認識できれば、センサ５０１を省略することができる。また、上述した実施の形態ではレボルバ５に複数の対物レンズ６を取り付けられるようになっていたが、ズームレンズの場合についても、本実施の形態を適用できる。
【００５８】
（第３の実施の形態）
次に、本発明の第３の実施の形態を説明する。
【００５９】
この場合、第３の実施の形態に適用される正立顕微鏡、この正立顕微鏡の光学系および制御系にかかる概略構成は、上述した図１、図２および図４と同様なので、これら図面を援用するものとする。
【００６０】
第２の実施の形態では、操作性を上げるため絞りの径が異なる（レボルバターレット５ａの位置（対物レンズ６））毎に開口絞り１０の開閉量を設定できるようにしたが、開口絞り１０の径は対物レンズ６により大幅に異なる場合があるため、レボルバターレット５ａの回転後に開口絞り１０を適正な径に早く調節したいような場合は、粗動／微動用の開閉量で調節した方が速やかな調節ができる。
【００６１】
そこで、この第３の実施の形態では、レボルバターレット５ａの位置（対物レンズ６）毎に、粗動／微動用の開閉量を設定できるようにしている。
【００６２】
この場合、表示部１８には、例えば図９に示すような開閉量設定画面１８ｃが表示される。この開閉量設定画面１８ｃには、レボルバターレット５ａに保持される複数の対物レンズ６（図示例では、＃１〜＃６の６個）に対して粗動用開閉量設定部１８１ａ〜１８６ａと微動用開閉量設定部１８１ｂ〜１８６ｂが用意されており、ユーザは、これら粗動用開閉量設定部１８１ａ〜１８６ａと微動用開閉量設定部１８１ｂ〜１８６ｂに対して粗動／微動用の開閉量を入力する。
【００６３】
また、演算部１２ｄは、レボルバターレット５ａの位置に対応する対物レンズ６について算出された開口絞り径と上述の入力された粗動／微動用の開閉量を用いて、実際に動作させる動作量（開閉量）を算出し記憶部１２ｅに保持するようにしている。
【００６４】
さらに、操作スイッチ１１ｃに粗動／微動を切替える機能が割り付けられている。そして、この操作スイッチ１１ｃが操作されたことが演算部１２ｄへスイッチコントローラ１２ａから通知されるたびに、記憶部１２ｅに保持されている現在の開口絞りの開閉量モード（微動／粗動）を演算部１２ｄが切替えるようになっている。
【００６５】
なお、開閉量設定画面１８ｃとして、簡単な画面を用意したが、例えば開閉量の設定の目安になるようにレボルバターレット５ａの位置毎の開口絞り１０の径を表示してもよい。また、設定画面でなくともファイル等に予め開閉量を保持することで、実際に動作させるときに開閉量を取得できるのであれば、必ずしも画面から設定する必要はない。
【００６６】
次に、実際に開口絞り１０を開閉する場合を図１０にしたがい説明する。
【００６７】
この場合、開口絞り１０を調節する操作スイッチ１１ａを押下げ操作すると（ステップ１００１）、操作スイッチ１１ａが押下げ操作されたことがスイッチコントローラ１２ａから演算部１２ｄに通知される（ステップ１００２）。演算部１２ｄは、現在光路上にあるレボルバターレット５ａの位置および現在の開口絞り１０の開閉量モードを記憶部１２ｅから取得する（ステップ１００３）。そして、これら取得したレボルバターレット５ａの位置及び開閉量モードに対応する動作量を記憶部１２ｅから取得する（ステップ１００４）。そして、この取得した動作量とパルスモータ１０１ａの１パルスの動作量を用いてパルス数を算出する（ステップ１００５）。このパルス数は、演算部１２ｄからＡＳユニット１０１のパルスモータ１０１ａに通知される（ステップ１００６）。パルスモータ１０１ａは、演算部１２ｄから通知されたパルス数に応じて動作し、開口絞り１０を開閉動作する（ステップ１００７）。
【００６８】
従って、このようにすれば、レボルバターレット５ａの位置（対物レンズ６）毎に設定された粗動／微動用の開閉量に応じて開口絞り１０を開閉動作するようにできる。
【００６９】
なお、上述した実施の形態では、開閉量として絞り径の割合を用いているが、パルス数など開口絞り１０を開閉する値であれば、開閉量は絞り径の割合でなくても構わない。また、上述した実施の形態では、操作スイッチ１１ｃを用いて、粗動／微動の開閉量を切替えていたが、操作スイッチ１１ａ〜１１ｆに予め「微動開閉量で開口絞りを開く」「粗動開閉量で開口絞りを開く」「微動開閉量で開口絞りを閉じる」「粗動開閉量で開口絞りを閉じる」などの機能を割り付けていても構わない。また、演算部１２ｄにて予め算出する値として操作スイッチ１１ａの一押下げに対する動作量ではなくパルス数でも良く、あるいは開閉絞り１０を開閉処理する度に記憶部１２ｅに保持された開閉量から開口絞り１０に適した動作量を算出しても構わない。
【００７０】
さらに、上述した実施の形態では、正立顕微鏡の透過照明時の開口絞りについて説明したが、正立顕微鏡の落射照明、倒立顕微鏡の透過照明、落射照明時についても同様にして実施できる。また、絞り調節機構として、開口絞り１０について述べたが、正立顕微鏡および倒立顕微鏡の透過照明時の視野絞りについても、開口絞りと同様に投影倍率が異なるため同様に適用できる。さらに、レボルバ５については、センサ５０１により現在位置が取得できたが、何らかの手段により、例えば、表示部等を用意して、現在位置を入力する等、手動で現在位置を認識できれば、センサ５０１を省略することができる。また、上述した実施の形態ではレボルバ５に複数の対物レンズ６を取り付けられるようになっていたが、ズームレンズの場合についても、本実施の形態を適用できる。
【００７１】
（第４の実施の形態）
次に、本発明の第４の実施の形態を説明する。
【００７２】
この第４の実施の形態は、上述した実施の形態に対し、さらに操作性を上げるための変形例である。この場合、設定された絞り開閉量がパルスモータ１０１ａの１パルスの動作量に満たない場合は、開閉量を強制的に１パルスに相当する動作量に設定する。
【００７３】
つまり、高倍の対物レンズ６を使用するような場合、開口絞り径が微小になるため、１パルスでの動作量が設定値の絞り開閉量を上回ることで開閉絞り１０が開閉動作できないことがある。このような場合、レボルバターレット５ａの各位置に対応する対物レンズ６のデータ（倍率とＮＡ値）とレボルバターレット５ａの位置に対応して開口絞りの開閉量とが記憶部１２ｅに保持された段階で、演算部１２ｄにより開口絞りの径と開閉量を算出し、これをパルスモータ１０１ａの１パルスの動作量と比較して絞り開閉量がパルスモータ１０１ａの１パルスの動作量に満たない場合は、自動的に開閉量を１パルスでの動作量に対応した値に設定するようにする。また、このように設定された絞り開閉量がパルスモータ１０１ａの１パルスの動作量に満たない場合は、ユーザに注意を促すダイアログを提示する。
【００７４】
従って、このようにすれば、設定された絞り開閉量がパルスモータ１０１ａの１パルスの動作量に満たない場合でも、確実に開閉絞り１０が開閉動作させることができるようになり、さらに操作性を上げることができる。
【００７５】
なお、本発明は、上記実施の形態に限定されるものでなく、実施段階では、その要旨を変更しない範囲で種々変形することが可能である。
【００７６】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００７７】
【図１】本発明の第１の実施の形態が適用される正立顕微鏡の概略構成を示す図。
【図２】第１の実施の形態が適用される正立顕微鏡の光学系の概略構成を示す図。
【図３】第１の実施の形態が適用される正立顕微鏡の制御系の概略構成を示す図。
【図４】第１の実施の形態が適用される正立顕微鏡の変形例の概略構成を示す図。
【図５】第１の実施の形態の変形例に用いられる表示部の開閉量設定画面を示す図。
【図６】第１の実施の形態の作用を説明するためのフローチャート。
【図７】本発明の第２の実施の形態に用いられる表示部の開閉量設定画面を示す図。
【図８】第２の実施の形態の作用を説明するためのフローチャート。
【図９】本発明の第３の実施の形態に用いられる表示部の開閉量設定画面を示す図。
【図１０】第３の実施の形態の作用を説明するためのフローチャート。
【符号の説明】
【００７８】
１…顕微鏡本体、１ａ…ベース部、１ｂ…胴部
１ｃ…対物アーム、２…ステージ
３…試料、４…焦準ハンドル、５…レボルバ
５ａ…レボルバターレット、５０１…センサ
６…対物レンズ、７…接眼レンズ、８…光源
９…視野絞り、９ａ…照明範囲、１０…開口絞り
１０ａ…瞳像、１０１…ＡＳユニット
１０１ａ…パルスモータ、１０１ｂ…センサ
１１ａ〜１１ｆ…操作スイッチ、１２…顕微鏡コントローラ、
１２ａ…スイッチコントローラ、１２ｂ…ＡＳコントローラ
１２ｃ…レボルバコントローラ、１２ｄ…演算部
１２ｅ…記憶部、１３…コレクタレンズ
１４…コンデンサレンズ、１５…結像レンズ、１６…プリズム
１８…表示部、１８ａ、１８ｂ、１８ｃ…開閉量設定画面
１８１〜１８６…開閉量設定部、１８１ａ〜１８６ａ…粗動用開閉量設定部
１８１ｂ〜１８６ｂ…微動用開閉量設定部、１９…入力部
【図１】
2006030679.tif 000003
【図２】
2006030679.tif 000004
【図３】
2006030679.tif 000005
【図４】
2006030679.tif 000006
【図５】
2006030679.tif 000007
【図６】
2006030679.tif 000008
【図７】
2006030679.tif 000009
【図８】
2006030679.tif 000010
【図９】
2006030679.tif 000011
【図１０】
2006030679.tif 000012